(57)【要約】【課題】ＡＴＭによらず、個々のパソコン等でＩＣカード内の自動取引手順が、入力、修正、削除等の操作が可能であり、予め大量の処理や複雑な操作を個々人の状況に併せて容易に設定可能であり、そかもＡＴＭの操作誤りによる異常の発生を最小限にすることが可能な自動取引システムを提供する。【解決手段】ＩＣカード内に自動取引手順が複数記憶可能なＩＣカードと、ＩＣカードを認識すると、ＩＣカード内の自動取引手順を選択可能になり、選択された自動取引手順による自動取引を実行する自動取引端末よりなる自動取引システムであって、ＩＣカード内の自動取引手順を自動取引端末以外の情報処理機器を用いて操作可能であることを特徴とする自動取引システムを提供する。【選択図】  図１
2011181048.tif 000002
【特許請求の範囲】
【請求項１】
ＩＣカードを用いた自動取引端末による自動取引システムにおいて、
ＩＣカード内に自動取引手順が複数記憶可能なＩＣカードと、
ＩＣカードを認識すると、ＩＣカード内の自動取引手順を選択可能になり、選択された自動取引手順による自動取引を実行する自動取引端末よりなる自動取引システムであって、
ＩＣカード内の自動取引手順を自動取引端末以外の情報処理機器を用いて操作可能であることを特徴とする自動取引システム。
【請求項２】
ＩＣカード内の自動取引手順を自動取引端末を用いても操作可能であることを特徴とする請求項１記載の自動取引システム。
【請求項３】
ＩＣカード内の自動取引手順を記憶させた自動取引端末と異なる自動取引端末を用いて自動取引手順による自動取引を実行することが可能であることを特徴とする請求項１または２記載の自動取引システム。
【請求項４】
ＩＣカード内の自動取引手順が定時処理を含むことを特徴とする請求項１から３何れか記載の自動取引システム。
【請求項５】
ＩＣカード内の自動取引手順が自動取引完了後に自動削除可能であることを特徴とする請求項１から４何れか記載の自動取引システム。
【請求項６】
ＩＣカード内の自動取引手順による取引履歴が記憶されることを特徴とする請求項１から５何れか記載の自動取引システム。
【請求項７】
ＩＣカードを自動取引端末が認識すると、ＩＣカード内の自動取引手順を選択可能になり、選択された自動取引手順による自動取引を実行する自動取引方法であって、
ＩＣカード内の自動取引手順が自動取引端末以外の情報処理機器を用いて操作可能であることを特徴とする自動取引方法。
【請求項８】
ＩＣカード内の自動取引手順を自動取引端末を用いても操作可能であることを特徴とする請求項７記載の自動取引方法。
【請求項９】
ＩＣカード内の自動取引手順を記憶させた自動取引端末と異なる自動取引端末を用いて自動取引手順による自動取引を実行することが可能であることを特徴とする請求項７または８記載の自動取引方法。
【請求項１０】
ＩＣカード内の自動取引手順が定時処理を含むことを特徴とする請求項７から９何れか記載の自動取引方法。
【請求項１１】
ＩＣカード内の自動取引手順が自動取引完了後に自動削除されることを特徴とする請求項７から１０何れか記載の自動取引方法。
【請求項１２】
ＩＣカード内の自動取引手順による取引履歴が記憶されることを特徴とする請求項７から１１何れか記載の自動取引方法。
【発明の詳細な説明】
【技術分野】
【０００１】
本発明は、金融機関や現金を扱う業務等で利用しているＡＴＭ、ＣＤ、ＭＭＫ、券売機、換金機等の自動取引端末において、ＩＣカードを用いた自動取引端末による自動取引システムおよび自動取引方法に係るものである。
【背景技術】
【０００２】
従来、自動取引装置に、その動作を規定するスクリプト（自動取引手順）を記述したファイルを格納したＩＣカードの読み込み手段を設け、該ＩＣカード読み込み手段により読み込んだスクリプト内容を前記自動取引装置が実行することを特徴とする自動取引装置におけるスクリプト実行方法が提案されている（特許文献１参照）。
【０００３】
このほか、ＩＣカードと同じ様なカードに自動取引手順を磁気で記憶させた振込カードなども公知であった。
【先行技術文献】
【特許文献】
【０００４】
【特許文献１】特開２００２−２４９１２号公報
【発明の概要】
【発明が解決しようとする課題】
【０００５】
しかし、上記特許文献１の発明では、自動取引手順を結局、ＡＴＭ等で設定等の操作することが必要であったが、多くの人に共通に使用できることを目的としてＡＴＭの操作方法が設定しているために、ＡＴＭの使用方法が煩雑になっていた。また、目が不自由であればタッチパネルなどの操作に支障を生じるが、目が不自由な場合や、その他多くの状況に対応する様にＡＴＭの構造や操作方法を対応させるのには限度があった。加えて、多くの人に汎用的に対応させる必要があるため、却って操作方法の種類が多くなり、結果として操作が面倒な構造になっていたため、操作時間が掛かる場合が多くなっていた。また、この様に操作が面倒な構造になっていたため、操作誤りが発生していた他、操作手順の理解が容易でないため、振込詐欺の温床になっていた。
【課題を解決するための手段】
【０００６】
本発明で、前記課題を解決するため、まず、請求項１に係る発明では、ＩＣカードを用いた自動取引端末による自動取引システムにおいて、
ＩＣカード内に自動取引手順が複数記憶可能なＩＣカードと、
ＩＣカードを認識すると、ＩＣカード内の自動取引手順を選択可能になり、選択された自動取引手順による自動取引を実行する自動取引端末よりなる自動取引システムであって、
ＩＣカード内の自動取引手順を自動取引端末以外の情報処理機器を用いて操作可能であることを特徴とする自動取引システムを提供するものである。
【０００７】
また、請求項２に係る発明では、ＩＣカード内の自動取引手順を自動取引端末を用いても操作可能であることを特徴とする請求項１記載の自動取引システムを提供するものである。
【０００８】
また、請求項３に係る発明では、ＩＣカード内の自動取引手順を記憶させた自動取引端末と異なる自動取引端末を用いて自動取引手順による自動取引を実行することが可能であることを特徴とする請求項１または２記載の自動取引システムを提供するものである。
【０００９】
また、請求項４に係る発明では、ＩＣカード内の自動取引手順が定時処理を含むことを特徴とする請求項１から３何れか記載の自動取引システムを提供するものである。
【００１０】
また、請求項５に係る発明では、ＩＣカード内の自動取引手順が自動取引完了後に自動削除可能であることを特徴とする請求項１から４何れか記載の自動取引システムを提供するものである。
【００１１】
また、請求項６に係る発明では、ＩＣカード内の自動取引手順による取引履歴が記憶されることを特徴とする請求項１から５何れか記載の自動取引システムを提供するものである。
【００１２】
また、請求項７に係る発明では、ＩＣカードを自動取引端末が認識すると、ＩＣカード内の自動取引手順を選択可能になり、選択された自動取引手順による自動取引を実行する自動取引方法であって、
ＩＣカード内の自動取引手順が自動取引端末以外の情報処理機器を用いて操作可能であることを特徴とする自動取引方法を提供するものである。
【００１３】
また、請求項８に係る発明では、ＩＣカード内の自動取引手順を自動取引端末を用いても操作可能であることを特徴とする請求項７記載の自動取引方法を提供するものである。
【００１４】
また、請求項９に係る発明では、ＩＣカード内の自動取引手順を記憶させた自動取引端末と異なる自動取引端末を用いて自動取引手順による自動取引を実行することが可能であることを特徴とする請求項７または８記載の自動取引方法を提供するものである。
【００１５】
また、請求項１０に係る発明では、ＩＣカード内の自動取引手順が定時処理を含むことを特徴とする請求項７から９何れか記載の自動取引方法を提供するものである。
【００１６】
ＩＣカード内の自動取引手順が自動取引完了後に自動削除されることを特徴とする請求項７から１０何れか記載の自動取引方法を提供するものである。
【００１７】
ＩＣカード内の自動取引手順による取引履歴が記憶されることを特徴とする請求項７から１１何れか記載の自動取引方法を提供するものである。
【発明の効果】
【００１８】
本発明により、ＡＴＭによらず、個々のパソコン等でＩＣカード内の自動取引手順が、入力、修正、削除等の操作が可能であり、予め大量の処理や複雑な操作を個々人の状況に併せて容易に設定可能であり、そかもＡＴＭの操作誤りによる異常の発生を最小限にすることが可能になった。
【００１９】
なお、ＩＣカード内の自動取引手順を自動取引端末を用いても操作可能であることにより、ＡＴＭ等の自動取引端末でも併せて使用可能であり、緊急時などの対応がや対処が可能になる。
【００２０】
また、ＩＣカード内の自動取引手順を記憶させた自動取引端末と異なる自動取引端末を用いて自動取引手順による自動取引を実行することが可能であることにより、自動取引手順を記憶させた自動取引端末の設置している銀行やコンビニのＡＴＭとは異なった銀行やコンビニのＡＴＭであっても、簡単に自動取引手順による自動取引を実行することが可能になる。
【００２１】
この場合のＡＴＭは、銀行の店舗に設置されているＡＴＭの他、店舗外に独立または別の銀行とは関係のない店舗や公共機関等に設置されているＡＴＭも含む。さらに、そのＡＴＭ自体が銀行の設置によるものでなく、コンビニ等の他の業態が設置主体となっているＡＴＭであり、その店舗等の内部に設置するものの他、証券会社等の銀行ではない主体のＡＴＭ等のほか、各種決済システムとネットワークで結びつけられる各種決済が可能なシステムの端末などであっても構わない。
【００２２】
また、ＩＣカード内の自動取引手順が定時処理を含むことにより、随時発生する一回限りの自動取引手順だけではなく、毎日、毎週、毎月などの定期処理も設定可能になった。
【００２３】
また、ＩＣカード内の自動取引手順が自動取引完了後に自動削除可能であることにより、一回限りの操作が複数回操作されることがない様に、定時処理などの複数回の処理を前提としない処理を対象に、実際に処理された操作手順をその操作手順処理の終了と同時、もしくは終了後に削除することで、同じ動作が複数回行われる問題を防止することが可能になった。
【００２４】
また、ＩＣカード内の自動取引手順による取引履歴が記憶されることにより、今までおこなった取引を確認することが可能になり、それを参考にあらたな取引の設定が可能になった。
【図面の簡単な説明】
【００２５】
【図１】本発明に係る自動取引システムのブロック図である。
【図２】本発明の図１の実施の形態に係る自動取引システムのパソコンによる自動取引手順の操作のフローチャートである。
【図３】本発明の図１の実施の形態に係る自動取引システムのＡＴＭによる取引のフローチャートである。
【図４】本発明の図１の実施の形態に係る自動取引システムのＩＣカードのデータ構成概念図である。
【図５】本発明の図１の実施の形態に係る自動取引システムのＩＣカードのレコード構成概念図である。
【図６】図１の実施の形態とは異なる本発明に係る自動取引システムのブロック図である。
【図７】本発明の図６の実施の形態に係る本発明に係る自動取引システムの別なＡＴＭによる自動取引手順の操作のフローチャートである。
【図８】本発明の図２や図６の実施の形態とは異なる実施の形態に係る自動取引システムのパソコンによる自動取引手順の操作のフローチャートである。
【図９】本発明の図２や図６や図８の実施の形態とは異なる実施の形態に係る自動取引システムのパソコンによる自動取引手順の操作のフローチャートである。
【図１０】本発明の図２や図６や図８や図９の実施の形態とは異なる実施の形態に係る自動取引システムのパソコンによる自動取引手順の操作のフローチャートである。
【発明を実施するための形態】
【００２６】
（第一の実施の形態）
以下、本発明の実施形態を図面を参照しながら詳細に説明する。
【００２７】
図１は本発明に係る自動取引システムのブロック図、図２は本発明に係る自動取引システムのパソコンによる自動取引手順の操作のフローチャート、図３は本発明に係る自動取引システムのＡＴＭによる取引のフローチャート、図４はその振替え輸送券の自動発行機の情報入力装置の模式図、図５は本発明に係る自動取引システムのＩＣカードのレコード構成概念図である。
【００２８】
まず、このＩＣカード１１は、自動取引端末の一種であるＡＴＭ１３のカードスロットに挿入でき、このカードスロットに挿入されたＩＣカードをＡＴＭ１３の画面で操作できる。他方、このＩＣカード１１は、パソコン１２のＩＣカードリーダライタに挿入でき、このカードスロットに挿入されたＩＣカードをパソコン１２で操作できる。この構成における情報処理機器としては、パソコンが該当する。
【００２９】
次に、このＡＴＭ１３操作を説明すれば、利用者は、ＡＴＭ１３のカードスロットにＩＣカード１１を挿入する（Ｓ１０１）。これに対しＡＴＭ１３はＩＣカード１１を読込み、ＡＴＭ識別子をＩＣカード１１に送信する（Ｓ１０２）。このＡＴＭ識別子を受領したＩＣカード１１は、そのＡＴＭ１３を認識し（Ｓ１０３）、その上で、そのＡＴＭ１３もしくはＡＴＭ１３の対応する取引ネットワーク、例えばそのＡＴＭ１３の銀行システムに対応した取引データをＡＴＭ１３に送信する（Ｓ１０４）。
【００３０】
この取引データを受領したＡＴＭ１３では、その取引データを解析し（Ｓ１０５）、このＡＴＭ１３で取引可能な内容か確認し、必要に応じて暗証番号等による認証動作を行ったのち、ＡＴＭ１３の操作画面に取引データに対応した操作メニューを表形式等の各種表示手段により利用者に表示する（Ｓ１０６）。この様に表示された操作メニューから、利用者がＡＴＭを操作し、取引データからどれかの取引内容を選択、もしくはどの取引データも選択しない取引内容を選択する（Ｓ１０７）。選択された取引内容は、ＡＴＭ１３にて取引実行を試みる（Ｓ１０８）。この場合、実行が成功した場合も、実行が残高不足等により成功しないも取引実行とする。この様な取引内容、すなわち実行が成功した場合はその取引内容、取引が成功しなかった場合は、残高不足等のその原因を取引内容としてＡＴＭ１３にて表示し、利用者に取引内容確認（Ｓ１０９）を促す。
【００３１】
次に、記録操作の代表例として自動取引手順の一種である取引内容を入力する場合で説明する。また、この場合、パソコン１２にはＩＣカード１１のリーダライタが可能なカードスロットが内蔵もしくは外付けで備わっているものと解する。
【００３２】
利用者は、パソコン１２のＩＣカードの記録作成、修正、削除等の記録操作が可能なソフトウエアを立ち上げる（Ｓ２０１）。パソコン１２ではこのソフトウエアの動作に従って、利用可能なＡＴＭ表示をディスプレイで表示する（Ｓ２０２）。この表示に対応して利用者は自動取引手順を実行させようとするＡＴＭ種、すなわち銀行の選択等を行うＡＴＭ選択を行う（Ｓ２０３）。パソコン１２では、選択されたＡＴＭで操作可能な操作メニュー表を表示する（Ｓ２０４）。それに対応して操作者は、具体的な取引内容である自動取引手順を入力し、取引内容入力を行う（Ｓ２０５）。これに対応してパソコン１２では、具体的な取引データ作成し（Ｓ２０６）、必要に応じて内容確認等の終了後、作成された取引データをＩＣカード１１に送信する。送信を受けたＩＣカード１１では、受信した取引データを内部記憶部に取引データ書込（Ｓ２０８）を行う。
【００３３】
次に、この様な操作が可能なＩＣカード１１の記憶領域について説明すれば、このＩＣカードには複数のＡＴＭ操作可能な銀行の記憶フォルダとして、Ａ銀行のアプリケーションＤＦ３０１、Ｂ銀行のアプリケーションＤＦ４０１・・・・が設けられている。
【００３４】
各々のアプリケーションＤＦには、複数の処理手順を共通にするレコードをまとめたＥＦが設けられ、例えば毎日処理ＥＦ３１１、毎月処理ＥＦ３２１、毎年処理ＥＦ３３１、汎用処理ＥＦ３４１などに分けられている。具体的な自動取引手順は、ＥＦ内にレコードとして記憶可能で、複数のレコードが記憶可能であり、例えば毎日処理ＥＦ３１１内にはレコード１（３１２）、レコード２（３１２）、レコード３（３１３）などからなっている。
【００３５】
さらに、各々のレコードは、複数の取引単位が記憶可能で、例えば一つのレコードないにはブロック１、ブロック２、・・・・、ブロックｎ等からなっている。この各々のブロックには、取引内容を示すＩＤや使用する金融機関コード、口座番号、金額、最終実行日時等が記憶されている。
【００３６】
具体的に実行されるのは、レコード単位であり、あるレコードが実行の指示がされた場合は、そのレコード内のブロック全ての実行が試行される。
【００３７】
この場合の取引手順は、上記取引内容を記録するのが一般的であるが、変更削除も可能である。また、上記取引手順の記録はパソコンにより行えるが、一般のＩＣカード同様にＡＴＭでも操作可能であるのが好ましく、実際の取引とは関係のない単なる自動取引手順に記録が可能なほか、実際の取引を行って、その手順を再度利用可能に記録する方法も可能であるのが好ましい。
【００３８】
また、ＩＣカードが単一の銀行等の取引システムに対応した複合カードではない単一カードの場合は、ＩＣカードを読み取った段階で利用ＡＴＭシステム、すなわち銀行等を自動的に判別し、利用ＡＴＭシステムの選択を省略するのが好ましい。また、記録されている自動取引手順も、そのまま実行させることも可能だが、実行確認を行うことも可能である。
【００３９】
また、認証方法についても、暗証番号を用いる方法の他、指静脈認証、顔認証等の生体認証等各種認証方法を用いることが可能であり、ＩＣカードに予め組み込む方法や、通信を用いて認証する方法等各種認証方式が採用可能であり、ＩＣカード自動認証の他、取引毎に認証を必要とする方法、重要度に応じて使い分ける方法等、各種の認証方法が利用でき、複数の認証方式を組み合わせることも可能である。また、一定回数誤認証の場合、無効化や通報等の不正利用防止方式を採用することも可能である。さらに、認証動作も、最初に認証する方法のほか、最後の取引確定時に認証する方法も可能である。
【００４０】
（第二実施の形態）
以下、本発明の実施形態を図面を参照しながら詳細に説明する。
【００４１】
図６は本発明に係る自動取引システムのブロック図、図７は本発明に係る自動取引システムのＡＴＭによる自動取引手順の操作のフローチャート、他は第一の実施の形態と同様に、図３は本発明に係る自動取引システムのＡＴＭによる取引のフローチャート、図４はその振替え輸送券の自動発行機の情報入力装置の模式図、図５は本発明に係る自動取引システムのＩＣカードのレコード構成概念図である。
【００４２】
まず、このＩＣカード５１は、自動取引端末の一種であるＡＴＭ５２のカードスロットに挿入でき、このカードスロットに挿入されたＩＣカードをＡＴＭ５２の画面で操作できる。他方、このＩＣカード５１は、他行の他店舗のＡＴＭ５３のカードスロットに挿入でき、このカードスロットに挿入されたＩＣカードをＡＴＭ５３の画面で操作できる。
【００４３】
次に、このＡＴＭ５２の操作を説明すれば、利用者は、ＡＴＭ５２のカードスロットにＩＣカード１１を挿入する（Ｓ１０１）。これに対しＡＴＭ５２はＩＣカード５１を読込み、ＡＴＭ識別子をＩＣカード５１に送信する（Ｓ１０２）。このＡＴＭ識別子を受領したＩＣカード１１は、そのＡＴＭ１３を認識し（Ｓ１０３）、その上で、そのＡＴＭ１３もしくはＡＴＭ１３の対応する取引ネットワーク、例えばそのＡＴＭ１３の銀行システムに対応した取引データをＡＴＭ１３に送信する（Ｓ１０４）。
【００４４】
この取引データを受領したＡＴＭ５２では、その取引データを解析し（Ｓ１０５）、このＡＴＭ５２で取引可能な内容か確認し、必要に応じて暗証番号等による認証動作を行ったのち、ＡＴＭ５２の操作画面に取引データに対応した操作メニューを表形式等の各種表示手段により利用者に表示する（Ｓ１０６）。この様に表示された操作メニューから、利用者がＡＴＭを操作し、取引データからどれかの取引内容を選択、もしくはどの取引データも選択しない取引内容を選択する（Ｓ１０７）。選択された取引内容は、ＡＴＭ５２にて取引実行を試みる（Ｓ１０８）。この場合、実行が成功した場合も、実行が残高不足等により成功しないも取引実行とする。この様な取引内容、すなわち実行が成功した場合はその取引内容、取引が成功しなかった場合は、残高不足等のその原因を取引内容としてＡＴＭ５２にて表示し、利用者に取引内容確認（Ｓ１０９）を促す。また、必要に応じてＡＴＭ５２は、ＩＣカード５１の取引データを更新動作を行う（Ｓ１１０）。これに応じてＩＣカード５１では、必要に応じて取引データを記憶する（Ｓ１１１）。
【００４５】
次に、記録操作の代表例として自動取引手順の一種である取引内容を入力する場合で説明する
利用者は、ＡＴＭ５３にカードを挿入する（Ｓ４０１）。ＡＴＭ５３では操作可能な操作メニューを表示する（Ｓ４０２）。それに対応して操作者は、具体的な取引内容である自動取引手順を入力し、取引内容入力を行う（Ｓ４０３）。これに対応してＡＴＭ５３では、具体的な取引データ作成し（Ｓ４０４）、必要に応じて内容確認等の終了後、作成された取引データをＩＣカード５１に送信する（Ｓ４０５）。送信を受けたＩＣカード１１では、受信した取引データを内部記憶部に取引データ書込（Ｓ４０５）を行う。
【００４６】
次に、この様な操作が可能なＩＣカード５１の記憶領域等は、第一の実施の形態と同様である。
【００４７】
また、取引可能な端末は、銀行毎、支店毎等に設定も可能で、この様な場合、銀行コードや支店コードで代表されるＡＴＭ識別子が設定される方式の他、証券、信販、プリペイドカード等のそのネットワーク上で利用可能な各種金融システムの設定が可能で、各種有効な識別子を一つもしくは複数可能になっている。
【００４８】
また、上記取引には、上記認証を含んだり、現金やプリペイドカードの出し入れ、通帳の出し入れ、決済完了までの取引のほか、決済不能その他の理由に基づく決済中止やその決済中止の理由の表示や記録、決済記録や表示、残高表示や記憶、取引日時などの各種動作を含むものでも構わない。
【００４９】
（第三の実施の形態）
以下、本発明の実施形態を図面を参照しながら詳細に説明する。
【００５０】
図８は本発明に係る自動取引システムのブロック図、他は第一の実施の形態と同様に、図２は本発明に係る自動取引システムのパソコンによる自動取引手順の操作のフローチャート、図３は本発明に係る自動取引システムのＡＴＭによる取引のフローチャート、図４はその振替え輸送券の自動発行機の情報入力装置の模式図、図５は本発明に係る自動取引システムのＩＣカードのレコード構成概念図である。
【００５１】
まず、このＩＣカード１１は、自動取引端末の一種であるＡＴＭ１３のカードスロットに挿入でき、このカードスロットに挿入されたＩＣカードをＡＴＭ１３の画面で操作できる。他方、このＩＣカード１１は、パソコン１２のＩＣカードリーダライタに挿入でき、このカードスロットに挿入されたＩＣカードをパソコン１２で操作できる。この構成における情報処理機器としては、パソコンが該当する。
【００５２】
次に、このＡＴＭ１３操作を説明すれば、利用者は、ＡＴＭ１３のカードスロットにＩＣカード１１を挿入する（Ｓ５０１）。これに対しＡＴＭ１３はＩＣカード１１を読込み、ＡＴＭ識別子をＩＣカード１１に送信する（Ｓ５０２）。このＡＴＭ識別子を受領したＩＣカード１１は、そのＡＴＭ１３を認識し（Ｓ５０３）、その上で、そのＡＴＭ１３もしくはＡＴＭ１３の対応する取引ネットワーク、例えばそのＡＴＭ１３の銀行システムに対応した取引データをＡＴＭ１３に送信する（Ｓ５０４）。
【００５３】
この取引データを受領したＡＴＭ１３では、その取引データを解析し（Ｓ５０５）、このＡＴＭ１３で取引可能な内容か確認し、必要に応じて暗証番号等による認証動作を行ったのち、ＡＴＭ１３の操作画面に取引データに対応した操作メニューを表形式等の各種表示手段により利用者に表示する（Ｓ５０６）。この様に表示された操作メニューから、利用者がＡＴＭを操作し、取引データから定時処理を選択する（Ｓ５０７）。選択された取引内容は、ＡＴＭ１３の対応する取引ネットワークに送信し（図示せず)、定時になった時点で引実行を試みる。必要に応じて取引データを記憶する。
【００５４】
次に、記録操作の代表例として自動取引手順の一種である取引内容を入力する場合で説明する。また、この場合、パソコン１２にはＩＣカード１１のリーダライタが可能なカードスロットが内蔵もしくは外付けで備わっているものと解する。
【００５５】
利用者は、パソコン１２のＩＣカードの記録作成、修正、削除等の記録操作が可能なソフトウエアを立ち上げる（Ｓ２０１）。パソコン１２ではこのソフトウエアの動作に従って、利用可能なＡＴＭ表示をディスプレイで表示する（Ｓ２０２）。この表示に対応して利用者は自動取引手順を実行させようとするＡＴＭ種、すなわち銀行の選択等を行うＡＴＭ選択を行う（Ｓ２０３）。パソコン１２では、選択されたＡＴＭで操作可能な操作メニュー表を表示する（Ｓ２０４）。それに対応して操作者は、具体的な取引内容である自動取引手順を入力し、定時処理の取引内容入力を行う（Ｓ２０５）。これに対応してパソコン１２では、具体的な取引データ作成し（Ｓ２０６）、必要に応じて内容確認等の終了後、作成された定時処理に関する取引データをＩＣカード１１に送信する。送信を受けたＩＣカード１１では、受信した取引データを内部記憶部に取引データ書込（Ｓ２０８）を行う。
【００５６】
次に、この様な操作が可能なＩＣカード１１の記憶領域について説明すれば、このＩＣカードには複数のＡＴＭ操作可能な銀行の記憶フォルダとして、Ａ銀行のアプリケーションＤＦ３０１、Ｂ銀行のアプリケーションＤＦ４０１・・・・が設けられている。
【００５７】
各々のアプリケーションＤＦには、複数の処理手順を共通にするレコードをまとめたＥＦが設けられ、例えば毎日処理ＥＦ３１１、毎月処理ＥＦ３２１、毎年処理ＥＦ３３１、汎用処理ＥＦ３４１などに分けられている。具体的な自動取引手順は、ＥＦ内にレコードとして記憶可能で、複数のレコードが記憶可能であり、例えば毎日処理ＥＦ３１１内にはレコード１（３１２）、レコード２（３１２）、レコード３（３１３）などからなっている。
【００５８】
さらに、各々のレコードは、複数の取引単位が記憶可能で、例えば一つのレコードないにはブロック１、ブロック２、・・・・、ブロックｎ等からなっている。この各々のブロックには、取引内容を示すＩＤや使用する金融機関コード、口座番号、金額、最終実行日時等が記憶されている。この実施の形態の場合は定時処理なので、例えば毎日処理ＥＦ３１１、毎月処理ＥＦ３２１、毎年処理ＥＦ３３１等に追加される。
【００５９】
具体的に実行されるのは、レコード単位であり、あるレコードが定時処理の時刻に該当した場合は、その定時処理に関する処理の実行が試行される。
【００６０】
この場合の取引手順は、上記取引内容を記録するのが一般的であるが、変更削除も可能である。また、上記取引手順の記録はパソコンにより行えるが、一般のＩＣカード同様にＡＴＭでも操作可能であるのが好ましい。
（第四の実施の形態）
以下、本発明の実施形態を図面を参照しながら詳細に説明する。
【００６１】
図９は本発明に係る自動取引システムのブロック図、他は第一の実施の形態と同様に、図２は本発明に係る自動取引システムのパソコンによる自動取引手順の操作のフローチャート、図３は本発明に係る自動取引システムのＡＴＭによる取引のフローチャート、図４はその振替え輸送券の自動発行機の情報入力装置の模式図、図５は本発明に係る自動取引システムのＩＣカードのレコード構成概念図である。
【００６２】
まず、このＩＣカード１１は、自動取引端末の一種であるＡＴＭ１３のカードスロットに挿入でき、このカードスロットに挿入されたＩＣカードをＡＴＭ１３の画面で操作できる。他方、このＩＣカード１１は、パソコン１２のＩＣカードリーダライタに挿入でき、このカードスロットに挿入されたＩＣカードをパソコン１２で操作できる。この構成における情報処理機器としては、パソコンが該当する。
【００６３】
次に、このＡＴＭ１３操作を説明すれば、利用者は、ＡＴＭ１３のカードスロットにＩＣカード１１を挿入する（Ｓ６０１）。これに対しＡＴＭ１３はＩＣカード１１を読込み、ＡＴＭ識別子をＩＣカード１１に送信する（Ｓ６０２）。このＡＴＭ識別子を受領したＩＣカード１１は、そのＡＴＭ１３を認識し（Ｓ６０３）、その上で、そのＡＴＭ１３もしくはＡＴＭ１３の対応する取引ネットワーク、例えばそのＡＴＭ１３の銀行システムに対応した取引データをＡＴＭ１３に送信する（Ｓ６０４）。
【００６４】
この取引データを受領したＡＴＭ１３では、その取引データを解析し（Ｓ６０５）、このＡＴＭ１３で取引可能な内容か確認し、必要に応じて暗証番号等による認証動作を行ったのち、ＡＴＭ１３の操作画面に取引データに対応した操作メニューを表形式等の各種表示手段により利用者に表示する（Ｓ６０６）。この様に表示された操作メニューから、利用者がＡＴＭを操作し、取引データからどれかの取引内容を選択、もしくはどの取引データも選択しない取引内容を選択する（Ｓ６０７）。選択された取引内容は、ＡＴＭ１３にて取引実行を試みる（Ｓ６０８）。この場合、実行が成功した場合も、実行が残高不足等により成功しないも取引実行とする。この様な取引内容、すなわち実行が成功した場合はその取引内容、取引が成功しなかった場合は、残高不足等のその原因を取引内容としてＡＴＭ１３にて表示し、利用者に取引内容確認（Ｓ６０９）を促す。そして、ＡＴＭ１３は、ＩＣカード１１の取引内容確認できた取引データを削除する（Ｓ６１０）。これに応じてＩＣカード１１では、取引内容確認できた取引データを削除する（Ｓ６１１）。
【００６５】
次に、記録操作の代表例として自動取引手順の一種である取引内容を入力する場合で説明する。また、この場合、パソコン１２にはＩＣカード１１のリーダライタが可能なカードスロットが内蔵もしくは外付けで備わっているものと解する。
【００６６】
利用者は、パソコン１２のＩＣカードの記録作成、修正、削除等の記録操作が可能なソフトウエアを立ち上げる（Ｓ２０１）。パソコン１２ではこのソフトウエアの動作に従って、利用可能なＡＴＭ表示をディスプレイで表示する（Ｓ２０２）。この表示に対応して利用者は自動取引手順を実行させようとするＡＴＭ種、すなわち銀行の選択等を行うＡＴＭ選択を行う（Ｓ２０３）。パソコン１２では、選択されたＡＴＭで操作可能な操作メニュー表を表示する（Ｓ２０４）。それに対応して操作者は、具体的な取引内容である自動取引手順を入力し、取引内容入力を行う（Ｓ２０５）。これに対応してパソコン１２では、具体的な取引データ作成し（Ｓ２０６）、必要に応じて内容確認等の終了後、作成された取引データをＩＣカード１１に送信する。送信を受けたＩＣカード１１では、受信した取引データを内部記憶部に取引データ書込（Ｓ２０８）を行う。
【００６７】
次に、この様な操作が可能なＩＣカード１１の記憶領域について説明すれば、このＩＣカードには複数のＡＴＭ操作可能な銀行の記憶フォルダとして、Ａ銀行のアプリケーションＤＦ３０１、Ｂ銀行のアプリケーションＤＦ４０１・・・・が設けられている。
【００６８】
各々のアプリケーションＤＦには、複数の処理手順を共通にするレコードをまとめたＥＦが設けられ、例えば毎日処理ＥＦ３１１、毎月処理ＥＦ３２１、毎年処理ＥＦ３３１、汎用処理ＥＦ３４１などに分けられている。具体的な自動取引手順は、ＥＦ内にレコードとして記憶可能で、複数のレコードが記憶可能であり、例えば毎日処理ＥＦ３１１内にはレコード１（３１２）、レコード２（３１２）、レコード３（３１３）などからなっている。
【００６９】
さらに、各々のレコードは、複数の取引単位が記憶可能で、例えば一つのレコードないにはブロック１、ブロック２、・・・・、ブロックｎ等からなっている。この各々のブロックには、取引内容を示すＩＤや使用する金融機関コード、口座番号、金額、最終実行日時等が記憶されているが、処理を終了すると取引データを削除する。
【００７０】
その他は第一の実施の形態と同様である。
【００７１】
（第五の実施の形態）
以下、本発明の実施形態を図面を参照しながら詳細に説明する。
【００７２】
図１０は本発明に係る自動取引システムのブロック図、他は第一の実施の形態と同様に、図２は本発明に係る自動取引システムのパソコンによる自動取引手順の操作のフローチャート、図３は本発明に係る自動取引システムのＡＴＭによる取引のフローチャート、図４はその振替え輸送券の自動発行機の情報入力装置の模式図、図５は本発明に係る自動取引システムのＩＣカードのレコード構成概念図である。
【００７３】
まず、このＩＣカード１１は、自動取引端末の一種であるＡＴＭ１３のカードスロットに挿入でき、このカードスロットに挿入されたＩＣカードをＡＴＭ１３の画面で操作できる。他方、このＩＣカード１１は、パソコン１２のＩＣカードリーダライタに挿入でき、このカードスロットに挿入されたＩＣカードをパソコン１２で操作できる。この構成における情報処理機器としては、パソコンが該当する。
【００７４】
次に、このＡＴＭ１３操作を説明すれば、利用者は、ＡＴＭ１３のカードスロットにＩＣカード１１を挿入する（Ｓ７０１）。これに対しＡＴＭ１３はＩＣカード１１を読込み、ＡＴＭ識別子をＩＣカード１１に送信する（Ｓ７０２）。このＡＴＭ識別子を受領したＩＣカード１１は、そのＡＴＭ１３を認識し（Ｓ７０３）、その上で、そのＡＴＭ１３もしくはＡＴＭ１３の対応する取引ネットワーク、例えばそのＡＴＭ１３の銀行システムに対応した取引データをＡＴＭ１３に送信する（Ｓ７０４）。
【００７５】
この取引データを受領したＡＴＭ１３では、その取引データを解析し（Ｓ７０５）、このＡＴＭ１３で取引可能な内容か確認し、必要に応じて暗証番号等による認証動作を行ったのち、ＡＴＭ１３の操作画面に取引データに対応した操作メニューを表形式等の各種表示手段により利用者に表示する（Ｓ７０６）。この様に表示された操作メニューから、利用者がＡＴＭを操作し、取引データからどれかの取引内容を選択、もしくはどの取引データも選択しない取引内容を選択する（Ｓ７０７）。選択された取引内容は、ＡＴＭ１３に
て取引実行を試みる（Ｓ７０８）。この場合、実行が成功した場合も、実行が残高不足等により成功しないも取引実行とする。この様な取引内容、すなわち実行が成功した場合はその取引内容、取引が成功しなかった場合は、残高不足等のその原因を取引内容としてＡＴＭ１３にて表示し、利用者に取引内容確認（Ｓ７０９）を促す。また、必要に応じてＡＴＭ１３は、ＩＣカード１１の取引データを更新動作を行う（Ｓ７１０）。これに応じてＩＣカード１１では、取引データを記憶する（Ｓ７１１）。この結果、取引データが集積して取引履歴が集まる。
【００７６】
また、上記取引履歴は、定時処理の毎に記憶させるものでも、定時処理として一括記憶させるものでも、その両方でも構わず、ＡＴＭ等で表示や印刷が可能な場合でも構わない。
【符号の説明】
【００７７】
１１、５１    ＩＣカード
１２    パソコン
１３、５２、５３    ＡＴＭ
【図１】
2011181048.tif 000003
【図２】
2011181048.tif 000004
【図３】
2011181048.tif 000005
【図４】
2011181048.tif 000006
【図５】
2011181048.tif 000007
【図６】
2011181048.tif 000008
【図７】
2011181048.tif 000009
【図８】
2011181048.tif 000010
【図９】
2011181048.tif 000011
【図１０】
2011181048.tif 000012